(57)【要約】      （修正有）【課題】据え置き型の照明装置としても利用することができる携帯型の照明装置を提供する。【解決手段】携帯型照明装置１は、ベース部１０と、ベース部１０に連結され自在に湾曲可能なフレキシブルアーム２０と、フレキシブルアーム２０に取り付けられた照明部３０を有する。ベース部１０は周側面全体にわたり側溝部１１が形成されている。フレキシブルアーム２０の長さはベース部１０の周側面の長さと略同一又は同一である。そして、フレキシブルアーム２０は、ベース部１０の側溝部１１に嵌め込まれることにより、コンパクトに収納される。【選択図】図１
0003164931.tif 000002
【実用新案登録請求の範囲】
【請求項１】
ベース部（１０）と，
前記ベース部（１０）に連結され，自在に湾曲可能なフレキシブルアーム（２０）と，
前記フレキシブルアーム（２０）に取り付けられた照明部（３０）を有する携帯型照明装置（１）であって，
前記ベース部（１０）は，周側面の全体にわたり形成された側溝部（１１）を有し，
前記フレキシブルアーム（２０）は，前記ベース部（１０）の側溝部（１１）に嵌め込まれ収納される
携帯型照明装置（１）。
【請求項２】
前記ベース部（１０）は，上面に切欠部（１２）を有し，
前記照明部（３０）は，光を照射する発光面（３１）を有し，
前記照明部（３０）は，前記フレキシブルアーム（２０）の収納時において，前記発光面（３１）が前記ベース部の上面方向を向いた状態で，前記切欠部（１２）に嵌め込まれる
請求項１に記載の携帯型照明装置（１）。
【請求項３】
前記ベース部（１０）は，略円柱形状である
請求項１に記載の携帯型照明装置（１）。
【請求項４】
前記ベース部（１０）は，その内部に，重り部材を具備する
請求項１に記載の携帯型照明装置（１）。
【請求項５】
前記照明部（３０）は，光源３３として発光ダイオード（ＬＥＤ）を有する
請求項１に記載の携帯型照明装置（１）。
【請求項６】
前記照明部（３０）は，
前記フレキシブルアーム（２０）に連結したヒートシンク（３８）と，
前記照明部（３０）の発光面方向に設けられたレンズ（３４）と，
前記ヒートシンク（３８）と前記レンズ（３４）の間に配設され，前記ヒートシンク（３８）と前記レンズ（３４）の間に挟み込まれることにより，前記照明部（３０）内に固定されるＰＣＢ基板（４２）を有する
請求項１に記載の携帯型照明装置（１）。
【考案の詳細な説明】
【技術分野】
【０００１】
本考案は，フレキシブルアームを自在に湾曲させて照射方向を調整することができる携帯型の照明装置に関する。特に，本考案は，フレキシブルアームを照明装置本体に収納することができる照明装置に関する。
【背景技術】
【０００２】
従来から，アームの先端に光源を備え，使用に際して光源の照射方向を調節することができる照明装置が知られている（特許文献１，特許文献２）。このようなアームを備える照明装置は，使用に際して光源の照射方向を調整することができるため，読書やデスクワークにおいて大変便利なものである。
【０００３】
しかしながら，照明が取り付けられたアームは，照明装置本体から延伸して形成されているため，照明装置を使用しない場合や，照明装置自体を持ち運ぶ場合には，却ってその携行性を妨げるものであった。
【０００４】
また，従来から携帯型の照明装置（特許文献１）や，据え置き型の照明装置（特許文献３）が知られている。
【０００５】
しかしながら，従来の携帯型の照明装置は，携行性の向上を図り照明装置自体を小型化させているため，重心が安定せず，例えば机上に設置して使用することは困難であった。また，従来の据え置き型の照明装置は，例えば机上に設置した際の安定性の向上を図り照明装置自体を大型化させているため，携行して使用することが困難であった。すなわち，従来は，携帯性に優れ，かつ，机上に設置した際の安定性が高い照明装置が存在していなかった。
【先行技術文献】
【特許文献】
【０００６】
【特許文献１】特開２００１−７６５０１号公報
【特許文献２】特開２０００−１１７０８号公報
【特許文献３】実用新案登録第３１５３２２１号
【考案の概要】
【考案が解決しようとする課題】
【０００７】
そこで，本考案は，携行性の高い携帯型の照明装置を提供することを目的とする。
【０００８】
また，本考案は，据え置き型の照明装置としても利用することができる携帯型の照明装置を提供することを目的とする。
【課題を解決するための手段】
【０００９】
本考案は，基本的には，アームを照明本体に巻き付けるようにして収納することにより，照明装置の携行性を高めることができるという知見に基づく。また，照明本体に安定性を持たせることにより，携帯型照明装置であっても，例えば机上に設置して用いることができるという知見に基づく。
【００１０】
本考案に係る携帯型照明装置は，ベース部１０と，ベース部１０に連結され自在に湾曲可能なフレキシブルアーム２０と，フレキシブルアーム２０に取り付けられた照明部３０を有する。
ベース部１０には，その周側面の全体にわたって側溝部１１が形成されている。
フレキシブルアーム２０の長さは，好ましくは，ベース部１０の周側面の長さと略同一又は同一である。
このような構成を有することにより，フレキシブルアーム２０は，ベース部１０の側溝部１１に嵌め込まれ，ベース部１０に収納される。
【００１１】
このように，フレキシブルアーム２０は，ベース部１０に収納されるものであるため，照明装置自体の携行性を高めることができる。また，フレキシブルアーム２０は自在に湾曲させることができるため，使用に際し，照明方向の調整を行うことができる。
【００１２】
また，ベース部１０は，その上面に切欠部１２が形成されていることが好ましい。照明部３０は，光を照射する発光面３１を有するものである。これにより，照明部３０は，フレキシブルアーム２０の収納時において，発光面３１がベース部の上面方向を向いた状態で，切欠部１２に嵌め込まれることが好ましい。
【００１３】
このように，照明部３０は，発光面３１をベース部１０の上面方向を向けた状態で切欠部１２に嵌め込まれる。従って，フレキシブルアーム２０を収納した場合であっても，ベース部１０の上面方向を照らす用途に用いることができる。つまり，例えば，フレキシブルアーム２０を収納した状態で，本考案に係る照明装置を手に持ち，懐中電灯のような用途で用いることができる。
【００１４】
また，ベース部１０は，略円柱形状であることが好ましい。
【００１５】
ベース部１０が円柱形状に形成されていることにより，フレキシブルアーム２０をベース部１０の周側面に巻き付けやすくなる。また，本考案に係る携帯型照明装置を，据え置きして使用する場合の安定性が向上する。
【００１６】
また，ベース部１０は，その内部に，重り部材を具備することが好ましい。重り部材は，例えば，鉛であってもよいし，電池１３であってもよい。電池の例としては，乾電池，蓄電池，又は燃料電池があげられる。
【００１７】
ベース部材１０に重り部材を内包させることにより，その重みによってベース部１０の重心が安定する。従って，本考案に係る照明装置を，据え置きして使用する場合に，その安定性を向上させることができる。
【００１８】
照明部３０は，光源３３として発光ダイオード（ＬＥＤ）を備えていることが好ましい。
【００１９】
また，照明部３０は，フレキシブルアーム２０に連結したヒートシンク３８と，照明部３０の発光面方向に設けられたレンズ３４と，ヒートシンク３８とレンズ３４の間に配設されヒートシンク３８とレンズ３４の間に挟み込まれることにより照明部３０内に固定されるＰＣＢ基板４２を有することが好ましい。
【００２０】
このように，ＰＣＢ基板（プリント基板）が，ヒートシンクとレンズの間に挟み込まれることで，照明部内に固定されていることにより，ＰＣＢ基板を固定するためのねじ部材のような部品が不要となる。従って，照明部内がヒートシンクを具備する場合であっても，照明部自体の小型化を達成することができ，かつ，製造コストを低減させることができる。また，照明部内にヒートシンクが設けられているため，光源として例えばハイパワーＬＥＤのような放熱量の大きい発光体を用いることができる。このように，照明部の小型化，製造コストの低減，及び照明の明るさの向上を同時に達成することができる。
【考案の効果】
【００２１】
上記のような構成を有することにより，本考案は，携行性の高い携帯型の照明装置を提供することができる。
【００２２】
また，本考案は，据え置き型の照明装置としても利用することができる携帯型の照明装置を提供することができる。
【図面の簡単な説明】
【００２３】
【図１】図１は，本考案に係る携帯型照明装置の例を示す外観斜視図である。図１は，フレキシブルアームが開いた状態を示している。
【図２】図２は，本考案に係る携帯型照明装置の例を示す底面図である。図２は，フレキシブルアームが開いた状態を示している。
【図３】図３は，本考案に係る携帯型照明装置の例を示す外観斜視図である。図３は，フレキシブルアームが閉じた状態を示している。
【図４】図４は，本考案に係る携帯型照明装置が閉じた状態の例を示す外観図である。図４（ａ）は，底面図である。図４（ｂ）は，左側面図である。図４（ｃ）は，正面図である。図４（ｄ）は，平面図である。
【図５】図５は，本考案に係る携帯型照明装置が開いた状態の例を示す外観図である。図５（ａ）は，底面図である。図５（ｂ）は，左側面図である。図５（ｃ）は，正面図である。図５（ｄ）は，平面図である。
【図６】図６は，本考案における照明部の断面の例を示す図である。
【考案を実施するための形態】
【００２４】
以下，図面を参照して，本考案を実施するための形態について説明する。ただし，本考案は，以下の実施の形態に限定されるものではなく，当業者にとって自明な範囲で適宜修正したものを含む。
【００２５】
図１は，本考案に係る携帯型の照明装置１が開いた状態を示している。なお，照明装置１が開いた状態とは，フレキシブルアーム２０がベース部１０に収納されていない状態を意味する。照明装置１は，基本的には，円柱形状のベース部１０と，ベース部１０の周側面に連結されたフレキシブルアーム２０と，フレキシブルアーム２０の先端に取り付けられた照明部３０からなる。ベース部１０の周側面全体には側溝部１１が形成されている。また，ベース部１０の上面の円周縁には円弧状の切欠部１２が形成されている。これにより，フレキシブルアーム２０を，ベース部１０の側溝部１１に巻き付けた状態で，照明部３０をベース部１０の切欠部１２に嵌め込むことができる。フレキシブルアーム２０がベース部１０に巻き付けられると，図３に示すような照明装置１が閉じた状態となる。なお，照明装置１が閉じた状態とは，フレキシブルアーム２０がベース部１０に収納された状態を意味する。図３に示すように，照明装置１が閉じた状態においては，フレキシブルアーム２０がベース部１０の側溝部１１に収納されている。照明装置１が閉じた状態の平面を俯瞰すると，図４（ｄ）に示すように，照明装置１の輪郭は円形となっている。
【００２６】
ベース部１０は，照明装置１の基盤となる部分である。図１においてベース部１０は，円柱形状に形成されている。ただし，ベース部１０の形状は，円柱形に限定されるものではなく，三角柱，四角柱，五角柱，六角柱，又はその他角柱で形成されていてもよい。また，ベース部１０は，円錐形又は球形であってもよい。すなわち，ベース部１０は，フレキシブルアーム２０を巻き付けることができる形状であればよい。
【００２７】
ベース部１０には，周側面の全体にわたって，側溝部１１が形成されている。側溝部１１は，ベース部１０の周側面をコの字型に窪ませることにより形成してもよいし，Ｕの字型に窪ませることにより形成してもよい。また，側溝部１１の深さは，フレキシブルアーム２０の断面の直径に合わせて適宜調整すればよい。側溝部１１の深さとフレキシブルアーム２０の断面の直径が等しければ，閉じた状態の照明装置１は，側溝部１１とフレキシブルアーム２０の隙間がなくなり，審美性が高まる。また，側溝部１１の溝幅（ベース部１０の上面内壁から底面内壁の距離）も，フレキシブルアーム２０の断面の直径に合わせて適宜調整すればよい。すなわち，側溝部１１にフレキシブルアーム２０を１周させる場合には，側溝部１１の溝幅は，フレキシブルアーム２０の直径と略同一とすればよい。また，側溝部１１にフレキシブルアーム２０を１周以上させる場合には，フレキシブルアーム２０の周回分に合わせて側溝部１１の溝幅を定めればよい。
【００２８】
ベース部１０の上面の円周縁の一部には，Ｕ字状に切り欠けられた切欠部１２が形成されている。切欠部１２は，照明装置１が開いた状態においては，フレキシブルアーム２０の下端部付近を支持する機能を担うこととしてもよい。また，切欠部１２は，照明装置１が閉じた状態においては，フレキシブルアーム２０の先端に取り付けられた照明部３０が嵌め込まれる。従って，切欠部１１の形状は，照明部３０の形状に対応するものであることが好ましい。
【００２９】
ベース部１０内には，重り部材として電池１３が内蔵されている。また，ベース部１０内には，照明部３０の光源に電力を供給するための制御部が設けられている。制御部の出力端子は，フレキシブルアーム２０内を挿通する電線により光源に接続される。制御部の入力端子は，電池１３に接続されている。電池１３の例は，乾電池，蓄電池，又は燃料電池である。電池１３は，照明装置１自体の携行性を妨げず，かつ，その重みにより重心を安定させることができる程度の重量を有することが好ましい。例えば電池１３には，９ｇ〜１４０ｇ，１１ｇ〜７０ｇ，又は２３ｇの重量を有するものが用いられる。また，制御部の入力端子と電線の間には，プッシュ式のスイッチ１５が設けられている。従って，ベース部１０の上面方向からスイッチ１５を押下することにより，照明部３０の光源の点灯及び消灯を選択することができる。また，制御部は，スイッチ１５が押下された回数に応じて，照明部３０から発せられる光の強さを調節することとしても良い。例えば，まず，照明部３０が消灯した状態において，スイッチ１５が押下されると，照明部３０は点灯する。次に，照明部３０が点灯した状態において，スイッチ１５が押下されると，照明部３０が放つ光は弱まる。そして，照明部３０からの光が弱まっている状態において，スイッチ１５が押下されると，照明部３０は消灯する。
【００３０】
また，ベース部１０の側壁には，電力供給用のジャック１８が備えられていても良い。ジャック１８には，例えば，家庭用コンセントから電力の供給を受けるためのＡＣアダプタケーブルや，パーソナルコンピュータの内蔵電源からの電力供給を受けるためのＵＣＢケーブルのようなケーブルが接続される。ジャック１８にケーブルが接続された場合，ベース部１０内の制御部は，ケーブルから供給される電力を優先して使用し，照明部３０を点灯させる。
【００３１】
図２は照明装置１の底面図である。図２に示すように，ベース部１０の底面には，孔部１６が形成されている。孔部１６は，ベース部１０の底面の中心からずれた円周寄りに形成されている。また孔部１６は，円周寄りの一辺が円弧状となった略四角形状である。この孔部１６には，例えば画鋲やＬ型フックを挿入することができ，照明装置１を，例えば壁に取り付けて使用することができる。
【００３２】
また，ベース部１０の底面には，電池蓋１７が設けられている。ベース部１０の内部には電池１３が内蔵されており，電池蓋１７を開閉することにより，適宜電池１３を交換することができる。電池１３の例は，乾電池，蓄電池，又は燃料電池である。電池１３は，例えば，ベース部１０に，１本，２本，３本，又は４本以上，内蔵されている。
【００３３】
ベース部１０の周側面に設けられた側溝部１１の一部から，柔軟に湾曲可能なフレキシブルアーム２０が延伸している。つまり，フレキシブルアーム２０は，ベース部１０の周側面一部に連結されている。また，フレキシブルアーム２０は，ベース部１０の上面に設けられた切欠部１２の直下に連結されている。従って，照明装置１が開いた状態において，フレキシブルアーム２０の下端付近は，切欠部１２によって支持される。このためフレキシブルアーム２０が起立した状態を安定させることができる。
【００３４】
フレキシブルアーム２０は，容易に塑性変形が可能な部材（例えばアルミニウム）を重ね合わせて，フレキシブル素材（例えばシリコーン熱可塑性ゴム）で包み込んだものとなっている。
フレキシブルアーム２０は，人為的に外力を加えることにより，３次元方向への変形とねじれ変形が可能である。ただし，フレキシブルアーム２０は，人為的な外力が加わらない限り，自重や照明部３０の重みで変形することがない程度のフレキシビリティを有している。
【００３５】
フレキシブルアーム２０は，円筒状で中空構造となっており，内部にはベース部内の電池１３と照明部３０内の光源をつなぐ電線が挿通されている。
【００３６】
フレキシブルアーム２０の長さは，例えば，１０ｃｍ〜５０ｃｍ，２０ｃｍ〜４０ｃｍ，又は３０ｃｍである。フレキシブルアーム２０の長さは，ベース部１０の周側面の長さに合わせて設定すればよい。また，フレキシブルアーム２０の断面の直径は，例えば，５ｍｍ〜２０ｍｍ，７ｍｍ〜１５ｍｍ，又は１０ｍｍである。フレキシブルアーム２０の直径は，ベース部１０に形成された側溝部１１の溝幅に合わせて設定すればよい。たとえば，フレキシブルアーム２０の断面の直径は，側溝溝１１の溝幅と略同一であってもよいし，１／２程度であってもよい。
【００３７】
フレキシブルアーム２０の先端には，照明部３０が取り付けられている。また，フレキシブルアーム２０の先端は，照明部３０の円柱形状の照明部本体３２の周側面に連結されている。つまり，照明部３０は，フレキシブルアーム２０の長手方向と直交する角度でフレキシブルアーム２０に取り付けられている。
【００３８】
照明部３０は，円柱形状の照明部本体３２内に光源３３が備えられている。照明部本体３２の一面は開放面となっており，その開放面にレンズ３４が嵌め込まれる。レンズ３４は，光源３３から照射される光を集光し，スポット配光がなされるように構成されている。従って，レンズ３４を具備する照明部本体３２の一面が，照明部３０の発光面３１となる。照明部本体３２には，レンズ３４の円周に沿った形で円筒状のシェード３５が延設される。シェード３５の直径は，照明部本体３２の直径より短くなっている。従って，照明部３０は２つの円柱が重なった形状となる。後述するが，シェード３５は，フレキシブルアーム２０が収納された状態において，ベース部１０の切欠部１２に嵌着されるため，シェード３５の直径と切欠部の口径が同一又は略同一であることが好ましい。
【００３９】
照明部３０の光源３２としては，ＬＥＤが用いられることが好ましい。例えば，ＬＥＤには，「白色系」の発光色のＬＥＤが用いられる。「白色系」には，昼光色，昼白色，白色，温白色，又は電球色に相当する純白色から淡灰色までの色調が含まれる。ＬＥＤは，１個あたりの消費電力が１Ｗ以上であり，超高速で，発光特性に優れたＬＥＤ（例えば，いわゆるハイパワーＬＥＤ）を用いることが好ましい。
【００４０】
次に，照明装置１が閉じた状態について説明する。図３は，照明装置１が閉じた状態を示す斜視図である。照明装置１が閉じた状態においては，フレキシブルアーム２０がベース部１０の側溝部１１に巻き付けられるようにして収納されている。そして，ベース部１０の上面に形成された切欠部１２に，フレキシブルアーム２０の先端に取り付けられた照明部３０のシェード３５が嵌着されている。このため，照明部３０の発光面３１は，ベース部１０の上面方向を向いた状態となっている。従って，照明装置１は，閉じた状態においても，ベース部１０の上面方向を照らすことができる。
【００４１】
また，ベース部３０の底面の中心からずれた円周寄りには，孔部１６が形成されている。孔部１６は，円周寄りの一辺が円弧状となった略四角形状である。この孔部１６には，例えば画鋲やＬ型フックを挿入することができ，照明装置１を，例えば壁に取り付けて使用することができる。従って，照明装置１は，閉じた状態において，ベース部１０底面に形成された孔部１６に，例えば壁に取り付けられた画鋲やＬ字フックを挿入することにより，壁に掛けて使用することができる。
【００４２】
図６は，本発明に係る携帯型照明装置の照明部３０の断面図を示している。照明部３０の照明部本体３２内には，ヒートシンク３８が配設されている。ヒートシンク３８は，鉄や銅，ニッケル等の金属で形成されており，光源（例えばハイパワーＬＥＤ：図示省略）が発する熱を放出する。ヒートシンク３８には，ネジ穴が貫通形成されており，このネジ穴にネジ部３９を螺合することにより，ヒートシンク３８は，ネック３６に連結されている。ネック３６は，フレキシブルアーム３０と一体成型されており，照明部３０は，ヒートシンク３８及びネック３６を介して，フレキシブルアーム３０と連結している。また，ネック３６は，円柱状であり，その円柱の上部二箇所が切欠部３７となっている。照明部本体３２のうち，ネック３６と接する部分がＬ字型となった支持部４０を有する。支持部４０は，ヒートシンク３９を下方から指示するとともに，ネック３６の切欠部３７と当接し，ヒートシンク３８が回転しないよう，ネック３６を固定する。このように，支持部４０を切欠部３７に当接させ，ヒートシンク３８の回転を抑止することで，ヒートシンク３８の回転に起因した照明部３０内における配線の断線を防止することができる。
【００４３】
また，照明部３０の筐体である照明部本体３２は，円筒状であり，その発光面方向の口径が一部狭くなっている。このため，図６に示すように，照明部本体３２には，段差が形成されている。そして，フレキシブルアーム２０に螺合されたヒートシンク３８と，この段差の間には，レンズ３４とＰＣＢ基板４２が配設されている。従って，ＰＣＢ基板４２は，ヒートシンク３８とレンズ３４の間に挟み込まれることにより照明部３０内に固定される。また，照明部本体３２には，光源３３から発生した熱を放熱するための開口部４４を設けられている。孔部４４は，照明部本体３２に発光面方向や，照明部本体３２の周側面に形成される。このように，ＰＣＢ基板４２を固定するためのねじ部材のような部品が不要となる。また，照明部３２にヒートシンク３８や孔部４４が設けられているため，ＰＣＢ基板４２上に設けられる光源３３として例えばハイパワーＬＥＤのような放熱量の大きい発光体を用いた場合でも，適切に放熱を行うことができる。従って，照明部の小型化，製造コストの低減，及び照明の明るさの向上を同時に達成することができる。
【産業上の利用可能性】
【００４４】
本考案は，携帯型の照明装置の分野において好適に利用することができる。特に，本考案に係る照明装置は，据え置き型のブックライトや，携帯型の懐中電灯のような様々な用途に使い分けることができる。
【符号の説明】
【００４５】
１      照明装置
１０    ベース部
１１    側溝部
１２    切欠部
１３    電池
１５    スイッチ
１６    孔部
１７    電池蓋
１８    ジャック
２０    フレキシブルアーム
３０    照明部
３１    発光面
３２    照明部本体
３３    光源
３４    レンズ
３５    シェード
３６    ネック
３７    切欠部
３８    ヒートシンク
３９    ネジ部
４０    支持部
４２    ＰＣＢ基板
４４    開口部
【図１】
0003164931.tif 000003
【図２】
0003164931.tif 000004
【図３】
0003164931.tif 000005
【図４】
0003164931.tif 000006
【図５】
0003164931.tif 000007
【図６】
0003164931.tif 000008